(57)【特許請求の範囲】
【請求項１】
弾球遊技機の遊技盤に装備されて遊技球を受け入れる入賞装置であって、
前記遊技盤の前面側から遊技球を受け入れて該遊技盤の背面側に通過させる受入口と、互いの揺動軸をほぼ平行にして対面配置され、前記揺動軸よりも上側で揺動する軸上部分を相互に接近させた閉鎖位置と前記軸上部分を相互に離隔させた開放位置との間で揺動する一対の開閉部材とを備え、該開閉部材を開放位置としたときには該開閉部材を閉鎖位置としたときよりも前記受入口に遊技球を受け入れ易くなる可変入賞装置において、
前記受入口の背面側に接続されている誘導樋の底板と一連で前記受入口の前方に突出し、前記開閉部材を開放位置とした際には上方から前記開閉部材間に進入した遊技球を前記受入口に導く誘導板と、
下端部が連結板によって前記受入口が設けられている基板に連結されて前記基板と平行に配され、前記基板とで前記揺動軸を支える前板と、
前記誘導板よりも下方で前記揺動軸よりも上方になる前記開閉部材間かつ前記基板と前記前板との間にて鉄心を横向きにして固定される電磁石と、
片方の端面を前記電磁石側に露出させて前記一対の開閉部材それぞれの前記誘導板よりも下方の前記軸上部分に埋設され、前記開閉部材を前記閉鎖位置にすると前記端面が前記鉄心の端面に対面する位置に配される永久磁石と
を設け、
前記電磁石を励磁した際の該電磁石と前記永久磁石との反発力により前記開閉部材を開放位置にさせ、
前記電磁石を消磁させた際には前記永久磁石と前記電磁石の鉄心との引力により前記鉄心の端面と前記永久磁石の前記端面とを接合させて前記開閉部材を閉鎖位置にさせる
ことを特徴とする可変入賞装置。
【請求項２】
請求項１記載の可変入賞装置において、
前記開閉部材には、前記閉鎖位置とした際に前記誘導板との干渉を避けるための誘導板収容部が設けられている
ことを特徴とする可変入賞装置。
【発明の詳細な説明】
【０００１】
【発明の属する技術分野】
本発明は、弾球遊技機の遊技盤に装備されて遊技球を受け入れ易い状態と受け入れ難い状態とに変化する可変入賞装置に関する。
【０００２】
【従来の技術】
弾球遊技機の遊技盤に装備される可変入賞装置には、一対の開閉部材を互いに接近させると遊技球を受け入れ難い閉鎖状態となり、開閉部材を互いに離隔させると遊技球を受け入れ易い開放状態になる可変入賞装置（チューリップ式可変入賞装置）や一枚の開閉板を起立させたときには受入口（入賞口）が封鎖され、開閉板を前面側に突出させるように倒したときには遊技盤面に沿って落下してくる遊技球を開閉板によって受入口に導き入れる構造のアタッカーと呼ばれる可変入賞装置がある。
【０００３】
【発明が解決しようとする課題】
従来の可変入賞装置では、開閉部材を駆動するための駆動源としてソレノイドが使用され、そのソレノイドによる往復運動を開閉部材の揺動運動（回転運動）に変換するための機構を必要としていた。このため、構造が複雑であり、小型化も難しかった。
【０００４】
本発明は、可変入賞装置の構造の単純化と一層の小型化を図ることを目的としている。
【０００５】
【課題を解決するための手段および発明の効果】
上記課題を解決するための請求項１記載の可変入賞装置は、
弾球遊技機の遊技盤に装備されて遊技球を受け入れる入賞装置であって、
前記遊技盤の前面側から遊技球を受け入れて該遊技盤の背面側に通過させる受入口と、互いの揺動軸をほぼ平行にして対面配置され、前記揺動軸よりも上側で揺動する軸上部分を相互に接近させた閉鎖位置と前記軸上部分を相互に離隔させた開放位置との間で揺動する一対の開閉部材とを備え、該開閉部材を開放位置としたときには該開閉部材を閉鎖位置としたときよりも前記受入口に遊技球を受け入れ易くなる可変入賞装置において、
前記受入口の背面側に接続されている誘導樋の底板と一連で前記受入口の前方に突出し、前記開閉部材を開放位置とした際には上方から前記開閉部材間に進入した遊技球を前記受入口に導く誘導板と、
下端部が連結板によって前記受入口が設けられている基板に連結されて前記基板と平行に配され、前記基板とで前記揺動軸を支える前板と、
前記誘導板よりも下方で前記揺動軸よりも上方になる前記開閉部材間かつ前記基板と前記前板との間にて鉄心を横向きにして固定される電磁石と、
片方の端面を前記電磁石側に露出させて前記一対の開閉部材それぞれの前記誘導板よりも下方の前記軸上部分に埋設され、前記開閉部材を前記閉鎖位置にすると前記端面が前記鉄心の端面に対面する位置に配される永久磁石と
を設け、
前記電磁石を励磁した際の該電磁石と前記永久磁石との反発力により前記開閉部材を開放位置にさせ、
前記電磁石を消磁させた際には前記永久磁石と前記電磁石の鉄心との引力により前記鉄心の端面と前記永久磁石の前記端面とを接合させて前記開閉部材を閉鎖位置にさせる
構成としている。
したがって、駆動源としてのソレノイドや往復運動を回転運動に変換するための機構を必要としないから、構造の単純化と一層の小型化が可能になる。
【０００６】
なお、電磁石を消磁させた際に永久磁石と電磁石の鉄心との間に作用する引力は、開閉部材を閉鎖位置に保持するためのロック手段としての働きもする。
また、永久磁石を開閉部材の軸上部分に配置するので、開閉部材には揺動軸よりも下側で揺動する軸下部分を設ける必要はなく、磁石を軸下部分に配置する構造とした場合と比べても小型化できる。つまり、永久磁石を開閉部材の軸上部分に配置するのは、小型化を追求した結果である。
【０００７】
従来の技術の項で述べたように、可変入賞装置の一種としてチューリップ式可変入賞装置がある。このチューリップ式可変入賞装置は、向かい合って配置された一対の開閉部材を開閉揺動させる構造である。
【０００８】
普通、チューリップ式可変入賞装置では、開閉部材を起立させて閉鎖位置にしたときにも開閉部材間に遊技球受け入れのための通路が形成され、その通路で受け入れた遊技球を受入口に導くための誘導部材が開閉部材間に配置される。したがって、この誘導部材の下方は、遊技球のためには使用されない空間となる。
本発明は、受入口の前方に突出し、開閉部材を開放位置とした際に遊技球を受入口に導く誘導板と、下端部が連結板によって前記受入口が設けられている基板に連結されて前記基板と平行に配され、前記基板とで前記揺動軸を支える前板とを備えて、前記誘導板よりも下方で前記揺動軸よりも上方になる前記開閉部材間かつ前記基板と前記前板との間に電磁石を配置したので、内部空間の有効利用ともなり、装置の小型化に通じる。
【０００９】
しかも、電磁石は鉄心を横向きにして固定されており、永久磁石は、片方の端面を前記電磁石側に露出させて前記一対の開閉部材それぞれの前記誘導板よりも下方の前記軸上部分に埋設され、前記開閉部材を前記閉鎖位置にすると前記端面が前記鉄心の端面に対面する位置に配されており、
前記電磁石を消磁させた際には前記永久磁石と前記電磁石の鉄心との引力により前記鉄心の端面と前記永久磁石の前記端面とを接合させて前記開閉部材を閉鎖位置にさせるので、前述のロック手段としての働きがよい。
本発明においては、請求項２記載のように、前記開閉部材には、前記閉鎖位置とした際に前記誘導板との干渉を避けるための誘導板収容部を設けるとよい。
【００１０】
【発明の実施の形態】
次に、本発明の二つの実施例を図面を参照して説明することにより、発明の実施の形態を具体的に説明する。
【００１１】
【実施例１】
図１、図２および図３に示すように、本実施例の可変入賞装置１０は、基板１２によって各部を支持する構造であり、また基板１２に設けられているビス穴１４により図示しない弾球遊技機の遊技盤にビス止め固定することで遊技盤に装備される。基板１２には、遊技球を受け入れるための受入口１６が設けられており、図１および図２に示すように、受入口１６の背面側は誘導樋１８に接続されている。また、図２に示すように、誘導樋１８の底板２０は、基板１２の前面側に配されている誘導板２２と一連となっていて、誘導板２２側が高く底板２０側が低くなる傾斜が付けられている。
【００１２】
図１〜図３に示すように、誘導板２２の前面側には基板１２と平行となる前板２４が配されている。図１および図２に示すように、前板２４の下端部は連結板２６によって基板１２に連結されている。また、図２および図３に示すように、前板２４の上端部は誘導板２２と一連となっている。
【００１３】
図１〜図３に示すように、基板１２から前板２４にわたって一対の揺動軸２８が横設されており、互いに鏡像となる形状の一対の開閉部材３０が揺動軸２８により揺動自在に軸支されている。開閉部材３０は、それぞれ相手方に向かって突出する突出部３２を備えており、図１に示されるように開閉部材３０を互いに接近させて閉鎖位置とした際には、突出部３２の先端同士がほぼ接触し、その上方にＶ字谷状の案内路３４が形成される。この開閉部材３０を閉鎖位置とした状態では、開閉部材３０の先端間の距離は遊技球の直径をわずかに上回っていて、上方から落下してくる遊技球を案内路３４内に受け入れ可能であり、その受け入れた遊技球を受入口１６を通過させて誘導樋１８側に排出可能である。また、図２に示されるように、揺動軸２８を中心にして開閉部材３０を互いに離隔させる側に揺動変位させて開放位置とした際には、誘導板２２と両側の突出部３２とが、緩やかな円弧に沿って連なった状態となり、上方から落下してくる遊技球を突出部３２〜誘導板２２〜突出部３２の範囲で受け止め、受入口１６を通過させて誘導樋１８側に排出可能である。
【００１４】
図２および図３に示すように、誘導板２２の下側の基板１２と前板２４との間には、円柱状の鉄心３８を有する電磁石４０が、鉄心３８の両端を開閉部材３０側にして横向きに設置されている。
図３に示すように、開閉部材３０には、開閉部材３０を閉鎖位置とした際に鉄心３８に対面する位置に、永久磁石４２が埋設されている。これら永久磁石４２の電磁石４０側の極は互いに反対となるように（一方はＳ極を電磁石４０に向け、他方はＮ極を電磁石４０に向けて）配されている。また、鉄心３８は、通電時には、Ｓ極を電磁石４０に向けている永久磁石４２側がＳ極に、反対側がＮ極になる設定である。なお、開閉部材３０には、これを閉鎖位置とした際に誘導板２２との干渉を避けるための、誘導板収容部４４が設けられている。
【００１５】
この可変入賞装置１０では、電磁石４０に通電していないときには、電磁石４０の鉄心３８と永久磁石４２とが互いに引き合うので、開閉部材３０は揺動軸２８の上方でほぼ直立した閉鎖位置とされる（図１参照）。このときは、前述のように開閉部材３０の先端間を通過した遊技球だけを受け入れて、受入口１６から誘導樋１８へと排出することができる。
【００１６】
一方、電磁石４０に通電して励磁させると、電磁石４０と永久磁石４２の対面する極同士が同極となるので、電磁石４０と永久磁石４２とが互いに反発し合い、開閉部材３０は揺動軸２８を中心として倒れるように揺動変位させられて開放位置となる（図２参照）。このときは、開閉部材３０の先端間の距離が大きくなるので、遊技球を受け入れ易い状態となる。そして、電磁石４０への通電を停止すれば、上述したように鉄心３８と永久磁石４２との引き合いによって、開閉部材３０は閉鎖位置とされる。
【００１７】
以上のように、この可変入賞装置１０では、電磁石４０のオン、オフに応じて開閉部材３０を開放位置と閉鎖位置とに変動させることができるのであるが、その駆動源としては電磁石４０と永久磁石４２だけが用いられ、例えば駆動源としてのソレノイドや、ソレノイドの往復運動を回転運動に変換するための機構等を必要としない。したがって、構造の単純化と一層の小型化が可能になる。
【００１８】
また、電磁石４０を消磁させた際に永久磁石４２と電磁石４０の鉄心３８との間に作用する引力は、開閉部材３０を閉鎖位置に保持するためのロック手段としても働くから、例えば遊技球の衝突などによって開閉部材３０が開放位置に変位するおそれもない。
【００１９】
しかも、永久磁石４２を開閉部材３０の軸上部分に配置するので、開閉部材３０には揺動軸２８よりも下側で揺動する軸下部分を設ける必要はなく、磁石を軸下部分に配置する構造とした場合と比べても小型化できる。
【００２０】
【実施例２】
本発明の範囲から外れるが、電磁石による開閉構造をアタッカー型の可変入賞装置に適用することもできるので、その一例を示す。
図４に示すように、この実施例の可変入賞装置５０は、開口５２を有する長方形の基板５４を備えている。基板５４の背面側には開口５２を横断する誘導板５６が突出しており、誘導板５６よりも上側の開口５２は受入口５８となっている。
【００２１】
また、開口５２の下辺に沿って揺動軸６０が横設されており、開口５２の内周形状に対応する開閉板６２の下端部を、揺動軸６０が揺動可能に軸支している。開閉板６２には、受入口５８側に突出する三角部材６４が設けられており、開閉板６２の揺動に伴って三角部材６４が受入口５８に入出する構造である。さらに、開閉板６２には、永久磁石６８が埋設されている。
【００２２】
一方、誘導板５６の下方には、誘導板５６によって保持される電磁石７０が配設されている。この電磁石７０に通電した際に鉄心７２の永久磁石６８側の端に生じる磁極は、永久磁石６８の鉄心７２側の端の磁極と同極になる。
この可変入賞装置５０では、電磁石７０に通電していないときには、電磁石７０の鉄心７２と永久磁石６８とが互いに引き合うので、開閉板６２は揺動軸６０の上方でほぼ直立した閉鎖位置とされる。このときは、開閉板６２によって受入口５８が封鎖されるので、可変入賞装置５０は遊技球を受け入れることができない。
【００２３】
一方、電磁石７０に通電して励磁させると、電磁石７０と永久磁石６８の対面する極同士が同極となるので、電磁石７０と永久磁石６８とが互いに反発し合い、開閉板６２は揺動軸６０を中心として倒れるように揺動変位させられて開放位置となる。このときは、開閉板６２が受入口５８から離れるので、受入口５８に遊技球を受け入れることができる。しかも、三角部材６４が、上方から落下してくる遊技球の落下を遮って受入口５８へと送り込む働きをするので、可変入賞装置５０はきわめて入賞しやすい状態となる。そして、電磁石７０への通電を停止すれば、鉄心７２と永久磁石６８との引き合いによって、開閉板６２は閉鎖位置とされる。
【００２４】
以上のように、この可変入賞装置５０でも、電磁石７０のオン、オフに応じて開閉板６２を開放位置と閉鎖位置とに変動させることができるのであるが、その駆動源としては電磁石７０と永久磁石６８だけが用いられ、例えば駆動源としてのソレノイドや、ソレノイドの往復運動を回転運動に変換するための機構等を必要としない。したがって、構造の単純化と一層の小型化が可能になる。
【００２５】
また、電磁石７０を消磁させた際に永久磁石６８と電磁石７０の鉄心７２との間に作用する引力は、開閉板６２を閉鎖位置に保持するためのロック手段としても働くから、例えば遊技球の衝突などによって開閉板６２が開放位置に変位するおそれもない。
【００２６】
しかも、永久磁石６８を開閉板６２の軸上部分に配置するので、開閉板６２には揺動軸６０よりも下側で揺動する軸下部分を設ける必要はなく、磁石を軸下部分に配置する構造とした場合と比べても小型化できる。
以上、二つの実施例に従って、本発明の実施の形態について説明したが、本発明はこのような実施例に限定されるものではなく、本発明の要旨を逸脱しない範囲でさまざまに実施できることは言うまでもない。
【図面の簡単な説明】
【図１】  実施例１の可変入賞装置の閉鎖状態の説明図であり、図１（ａ）は平面図、図１（ｂ）は斜視図、図１（ｃ）は正面図、図１（ｄ）は側面図である。
【図２】  実施例１の可変入賞装置の開放状態の説明図であり、図２（ａ）は平面図、図２（ｂ）は斜視図、図２（ｃ）は正面図、図２（ｄ）は側面図である。
【図３】  実施例１の可変入賞装置における磁石の配置の説明図である。
【図４】  実施例２の可変入賞装置の構造の説明図であり、図４（ａ）は開放状態の斜視図、図４（ｂ）は開放状態の側面図である。
【符号の説明】
１０…可変入賞装置    １２…基板    １４…ビス穴    １６…受入口
１８…誘導樋    ２０…底板    ２２…誘導板    ２４…前板
２６…連結板    ２８…揺動軸    ３０…開閉部材    ３２…突出部
３４…案内路    ３８…鉄心    ４０…電磁石    ４２…永久磁石
４４…誘導板収容部
５０…可変入賞装置    ５２…開口    ５４…基板    ５６…誘導板
５８…受入口    ６０…揺動軸    ６２…開閉板    ６４…三角部材
６８…永久磁石    ７０…電磁石    ７２…鉄心
【図１】
0004062556.tif 000002
【図２】
0004062556.tif 000003
【図３】
0004062556.tif 000004
【図４】
0004062556.tif 000005